(57)【特許請求の範囲】
【請求項１】
雨水、雪、火山灰等の降下物が降り込む屋外保護領域の上方近傍に配設され、前記屋外保護領域内から他の屋外領域に向かって気体を吹出す吹出手段と、
屋外保護領域に吹込む風の方向を検知する風向センサと、
前記吹出手段の屋外保護領域に向けた開口部内に配設されて吹出方向を変化させる風向案内板と、
前記風向センサから出力される風向検出信号に基づいて前記風向案内板の案内方向を制御する制御部とを備え、
前記吹出手段の吹出す気流により、降り込む降下物を、屋外保護領域に対する風向きに応じて前記気流の吹出す方向を調整しつつ、他の屋外領域へ飛散させることを
特徴とする雨水等の降下防止装置。
【請求項２】
前記請求項１に記載の雨水等の降下防止装置において、
前記吹出手段が屋外保護領域の上方から斜め下方に向かって気体を吹出すことを
特徴とする雨水等の降下防止装置。
【請求項３】
前記請求項１又は２に記載の雨水等の降下防止装置において、
前記吹出手段が、降下物の粒径、降下物の種類に応じて吹出す方向及び／又は吹出す強度を調整することを
特徴とする雨水等の降下防止装置。
【請求項４】
前記請求項１ないし３に記載の雨水等の降下防止装置において、
前記吹出手段から吹出される気流の下流側に配設され、当該気流により飛散した降下物を受け止めて排出する降下物排出手段を備えることを
特徴とする雨水等の降下防止装置。
【請求項５】
前記請求項１ないし４に記載の雨水等の降下防止装置において、
前記吹出手段から吹出される気流の下流側に配設され、当該気流により飛散した降下物を吸引する吸引手段を備えることを
特徴とする雨水等の降下防止装置。
【発明の詳細な説明】
【０００１】
【発明の属する技術分野】
本発明は、家屋に隣接する屋外保護領域への雨水等が降り込むことを防止できる雨水等の降下防止装置に関する。
【０００２】
【従来の技術】
従来、歩道における通行人、スタジアムにおける観客等が雨水に濡れることを防ぐためにアーケード、庇等を設置して歩道又はスタジアムの特定領域への雨水の降り込みを防止している。このアーケードは、商店街等の歩道の上部に設置され、採光のために透明ガラス等を用いて構成される。また、庇は、外周辺の建物構造体に一端が支持され、スタジアム等の観客席上に突出される構成である。さらに、スタジアム等では全体を丸い屋根で覆ったドーム球場があり、この丸い屋根を開閉する機構を備えるものも存在する。
【０００３】
【発明が解決しようとする課題】
従来、歩道やスタジアムにおける雨水等の降り込みを防止する設備としては、アーケード、庇、ドーム式の屋根等が存在するが、いづれも歩道、観客席の上方に設置される構成を採っていることから、晴天の時でも天井が閉蓋状態となるという課題を有する。特に、スタジアム等のスポーツ観戦においては、アウトドアスポーツの観戦でありながら屋内観戦と同様に日陰の状態となり、屋外の開放感が得られないという課題を有する。
【０００４】
前記ドーム球場等のスタジアムにおいては、丸い屋根のドームを開閉する機構を備えるものが存在するが、設備構成が大型化且つ複雑化すると共に、設備費用が極めて高くなるのという課題を有する。この開閉機構を備える屋根又は庇は、開閉動作に所定の時間を要することから、夕立等の急な雨に対して迅速に対応することができないという問題点があった。
【０００５】
本発明は前記課題を解消するためになされたもので、上方が常時開放状態で雨水の降り込みを簡易且つ迅速に防止することができる雨水等の降下防止装置を提供することを目的とする。
【０００６】
【課題を解決するための手段】
本発明に係る雨水等の降下防止装置は、雨水、雪、火山灰等の降下物が降り込む屋外保護領域の上方近傍に配設され、前記屋外保護領域内から他の屋外領域に向かって気体を吹出す吹出手段と、屋外保護領域に吹込む風の方向を検知する風向センサと、前記吹出手段の屋外保護領域に向けた開口部内に配設されて吹出方向を変化させる風向案内板と、前記風向センサから出力される風向検出信号に基づいて前記風向案内板の案内方向を制御する制御部とを備え、前記吹出手段の吹出す気流により、降り込む降下物を、屋外保護領域に対する風向きに応じて前記気流の吹出す方向を調整しつつ、他の屋外領域へ飛散させるものである。
このように本発明においては、屋外保護領域から他の屋外保護領域に向かって吹出手段が空気を吹出すことにより、屋外保護領域内に降り込む雨水を他の屋外領域へ飛散させることができることとなり、屋外保護領域の上方を常時開放状態としながら雨水等の降り込みを簡易に且つ迅速に防止することができる。
また、吹出手段から吹出す気体の方向を風向きに応じて調整するようにしているので、屋外保護領域への雨水の降り込みをより確実に阻止できる。
【０００７】
本発明に係る雨水等の降下防止装置は必要に応じて、吹出手段が屋外保護領域の上方から斜め下方に向かって気体を吹出すものである。このように本発明においては、屋外保護領域の上方近傍で上方から斜め下方に向かって吹出手段が気体を吹出すようにしているので、屋外保護領域に降り込む雨の落下方向に対応させて吹出手段が気体を吹出して、屋外保護領域に降り込む雨に対して、吹出される気体が長く作用することとなり、他の屋外領域への雨水の飛散をより確実に行うことができる。
【０００８】
本発明に係る雨水等の降下防止装置は必要に応じて、吹出手段が、降下物の粒径、降下物の種類に応じて吹出す方向及び／又は吹出す強度を調整するものである。このように本発明においては、吹出手段から吹出す気体の方向及び／又は強度を降下物の粒径や種類に応じて調整するようにしているので、屋外保護領域への雨水の降り込みをより確実に阻止できる。
【０００９】
本発明に係る雨水等の降下防止装置は必要に応じて、吹出手段から吹出される気流の下流側に配設され、当該気流により飛散した降下物を受け止めて排出する降下物排出手段を備えるものである。このように本発明においては、降下物排出手段を吹出手段の吹出後段側に配設することにより、屋外保護領域への降下物の落下を防止できると共に、この降下物を排出処理することができる。
【００１０】
本発明に係る雨水等の降下防止装置は必要に応じて、吹出手段から吹出される気流の下流側に配設され、当該気流により飛散した降下物を吸引する吸引手段を備えるものである。このように本発明においては、吸引手段を吹出手段の吹出後段側に配設することにより、吹出手段の吹出気流により飛散された降下物を屋外保護領域以外の領域へ強制的に吸引して屋外保護領域への降下を確実に防止できる。
【００１１】
【発明の実施の形態】
（本発明の第１の実施形態）
以下、本発明の第１の実施形態に係る雨水等の降下防止装置をスタジアムに適用した場合を例に挙げて図１及び図２に基づいて説明する。この図１は本実施の形態に係る雨水等の降下防止装置の全体概略説明図、図２は図１に記載の雨水等の降下防止装置における吹出装置詳細構成図である。
【００１２】
同図において本実施形態に係る雨水等の降下防止装置は、スタジアムの庇１１内側に開口部２１を屋外保護領域１３に向けて複数配設される吹出装置２と、前記屋外保護領域１３への降雨の有無を検知する降雨センサ３と、この降雨センサ３からの降雨検知信号に基づいて吹出装置２を駆動制御する制御部４とを備える構成である。この吹出装置２は、前記庇１１の取付位置から屋外保護領域１３への水平方向から俯角φとなる所定角度下方に向けて空気を吹出す開口部２１と、この開口部２１にダクト２２を介して供給する送風ファン２３とを備える構成である。
【００１３】
次に、前記構成に基づく本実施形態に係る雨水等の降下防止装置の動作について説明する。スタジアムで競技中に突発的に雨が降り出したとすると、降雨センサ３が降雨を検知して降雨検知信号を制御部４へ出力する。この制御部４は降雨検知信号に基づいて吹出装置２の送風ファン２３を起動させる。
【００１４】
前記送風ファン２３の起動によりダクト２２を介して開口部２１に空気が供給され、この開口部２１から屋外保護領域１３の上空へ俯角φの角度且つ所定の速度で送風される。この送風をベクトルＦAとし、雨滴がベクトルＦGとすると、この雨滴に送風の力が作用して雨滴をベクトルＦPの方向へ飛散させることとなる。
【００１５】
このようにベクトルＦPを雨滴に働かせることにより、屋外保護領域１３に降り込む雨滴をフィールド領域１４側へ飛散させることができることとなり、屋外保護領域１３への雨滴の降り込みを防止して雨水により観客が濡れるのを回避することができる。特に、屋外保護領域１３の観客は、上方が常時開放された開蓋状態で降雨に晒されることなく観戦・観覧等が可能となる。
【００１６】
（本発明の第２の実施形態）
図３は本発明の第２の実施形態に係る雨水等の降下防止装置の全体ブロック図、図４は図３に記載の雨水等の降下防止装置における要部詳細図である。同図において本実施形態に係る雨水等の降下防止装置は、前記図１に記載の雨水等の降下防止装置と同様に吹出装置２、降雨センサ３及び制御部４を庇１１の下側に配設することを共通に構成され、この構成に加え、屋外保護領域１３に吹込む風の方向を検知する風向センサ５と、前記吹出装置２の開口部２１内に配設されて吹出方向を変化させる風向案内板２５とを備え、前記制御部４が風向センサ５から出力される風向検出信号に基づいて前記風向案内板２５の案内方向を制御する構成である。
【００１７】
前記風向案内板２５は、開口部２１の開口内に複数の羽根体が回動自在に支持され、この複数の羽根体をモータ２６により駆動制御して開口部２１から吹出方向を調整する構成である。この風向案内板２５は、吹出方向を左右方向へ調整すると共に、上下方向への調整も行う構成とすることもできる。
【００１８】
次に、前記構成に基づく本実施形態に係る雨水等の降下防止装置の動作について説明する。まず、第１の実施形態の場合と同様に、屋外保護領域１３に降雨があるか否かを降雨センサ３によって検知して降雨検知信号を出力すると共に、風向きがいかなる方向であるかを風向センサ５により検知して風向検知信号を出力する。
【００１９】
この各降雨検知信号及び風向検知信号が制御部４に入力され、制御部４が送風ファン２３及びモータ２６を各々起動させて吹出装置２の開口部２１から所定風量及び所定吹出方向の送風を実行する。この送風の所定風量は、降雨の状態、例えば雨滴の大きさ、降雨密度、降雨量等により決定する。
【００２０】
前記送風の吹出方向は、屋外保護領域１３に対して吹込む風の方向により決定される。例えば、図４（Ａ）に示すように直横方向となる右側からの風向きである場合には、その風の力をベクトルＦW1とし雨滴をベクトルＦG1とすると雨滴の合成ベクトルがＦG2となる。この雨滴の合成ベクトルＦG2の雨滴に対して、吹出装置２からの送風方向は、前記の風の力のベクトルＦW1と無風であるときの送風ベクトルＦA1とから送風の合成ベクトルがＦA2となる。
【００２１】
従って、前記雨滴の合成ベクトルＦG2と送風の合成ベクトルＦA2とから、雨滴に対してベクトルＦPの力を作用させることができる。このように無風であると仮定した場合と同様のベクトルＦPを雨滴に付勢させることができるため、前記実施形態の場合と同様に屋外保護領域１３に降り込む雨水を屋外保護領域１３以外のフィールド領域１４へ飛散させることができる。
【００２２】
また、図４（Ｂ）に示すように右斜め前方の角度θからの風向きである場合には、その風の力をベクトルＦW2とし雨滴をベクトルＦG1とすると雨滴の合成ベクトルがＦG3となる。前記吹出装置２からの送風の方向は、風の力のベクトルＦW2と無風である時の送風のベクトルＦA1とから、送風の合成ベクトルがＦA3となる。
【００２３】
従って、前記雨滴の合成ベクトルＦG3と送風の合成ベクトルがＦA3とから、雨滴に対してベクトルＦPの力を作用させることができる。前記同図（Ａ）の場合と同様に屋外保護領域１３へ降り込む雨水を飛散させて、屋外保護領域１３内で雨に濡れることを防止できることとなる。
【００２４】
（本発明の第３の実施形態）
図５（Ａ）、（Ｂ）は本発明の第３の実施形態に係る雨水等の降下防止装置の全体概略構成図である。同図（Ａ）において本実施形態に係る雨水等の降下防止装置は、建物１１０の軒下１１０ａに吹出装置２が取付られ、この吹出装置２から吹出される気流により飛散する雨水を受け止めて排出する降下物排出装置６を前記吹出装置２に対向する歩道領域１３０の端に位置して配設する構成である。この降下物排出装置６は、略漏斗状に開口する受け口からなる収集部６１と、この収集部６１の下端開口部に接続され、収集部６１で受け止められて収集した雨水を移送して排出する排出管６３とを備える構成である。
【００２５】
次に、前記構成に基づく本実施形態に係る雨水等の降下防止装置の動作について説明する。まず、雨水の降雨が開始すると前記第１、第２の各実施形態と同様に降雨センサ３が降雨を検知し、制御部４が吹出装置２の送風ファン２３を駆動させる。この送風ファン２３の駆動により吹出装置２から吹出す気流により歩道領域１３０に降下する雨水を飛散させる。
この飛散された雨水は収集部６１で受け止められ略漏斗状の斜面で収集されて排出管６３を介して車道領域１４０の側溝へ排出される。
【００２６】
なお、前記実施形態においては建物の軒下に吹出装置２を配設し、歩道領域１３０の端部に降下物排出装置６を配設する構成としたが、図５（Ｂ）に示すようにある特定領域１３１を囲うように建築物１１１が設けられ、この建築物１１１の端部に吹出装置２が特定領域１３１の中心に向かって複数配設され、この特定領域１３１の中心部に降下物排出装置６を配設する構成とすることもできる。この降下物排出装置６は、特定領域１３１を囲うように複数配設された吹出装置２から吹出される気流より、全周から飛散する雨水を収集して排出できることとなる。
【００２７】
（本発明の第４の実施形態）
図６は本発明の第４の実施形態に係る雨水等の降下防止装置の要部構成図である。同図において本実施形態に係る雨水等の降下防止装置は、図５に記載の実施形態と同様に吹出装置２及び降下物排出装置６を共通して備え、この構成に加え、この降下物排出装置６近傍に吹出装置２からの気流により飛散した雨水を吸引する吸引装置７を備える構成である。この吸引装置７は、降下物排出装置６における略漏斗状の収集部６１の上方に配設される吸引ファン７１と、この吸引ファン７１の前面に雨水を気流から分離するルーバ７２と、この吸引ファン７１及びルーバ７２の上方に配設され、吸引ファン７１にて吸引する気流を整流する整流板７３とを備える構成である。
【００２８】
次に、前記構成に基づく本実施形態に係る雨水等の降下防止装置の動作について説明する。前記図５に記載の実施形態と同様に吹出装置２が雨水を飛散させると、この飛ばされた雨水を吸引装置７が吹出装置２からの気流と共に吸引する。この気流は整流板７３により降下物排出装置６の略漏斗状の収集部６１の上面に沿って吸引され、ルーバ７２を通ることにより雨水がルーバ７２に付着して分離される。
【００２９】
この分離された雨水を前記収集部６１で受け止められて収集され、排出されることとなる。このように吹出装置２の吹出し気流と吸引装置７の吸引気流の相互作用に基づいて雨水の飛散距離Ｌをより大きくして雨水の降下を確実に防止することができる。
【００３０】
【実施例】
前記各実施形態の雨水等の降下防止装置に用いられる吹出装置２からの送風による雨滴の飛散能力を実験結果に基づいて説明する。まず、本実験においては、吹出装置２における開口部２１を縦方向が０．２ｍないし０．４ｍ、横方向が２ｍの開口領域として形成し、送風ファン２３からの吹出気流を形成する。この雨滴を散水する散水装置は、前記開口部２１に対して横方向の長さが２ｍ、縦方向の長さが５ｍの管路枠体で形成され、この管路枠体内に縦方向に２本の管路格子が介装され、この管路枠体及び管路格子に各々１０個のノズルを取付けて形成される。また、前記管路枠体とこの管路格子とに連通しているポンプからの水の供給により、各ノズルから均一に散水するものとする。
【００３１】
また、前記吹出装置２の開口部２１は屋内の高さ３ｍの位置に設置され、前記散水装置の管路枠体及び管路格子が屋内における開口部２１の前方で高さ４ｍの位置に設置されるものとする。
【００３２】
このような状態において、前記ノズルの種類を三種類とした場合には、各々の降雨量は図７（Ａ）に示す通りである。この三種類のノズルを用いて開口部２１の高さを４ｍとし吹出口風速を１２ｍ／ｓｅｃとした場合、開口部２１の高さを３ｍとし吹出口風速を１４ｍ／ｓｅｃとした場合及び開口部２１の高さを２ｍとし吹出口風速を１６ｍ／ｓｅｃとした場合の各々について実験した。
この実験の結果より、開口部２１の先端から雨滴を飛散させた距離Ｄとして図７（Ｂ）に示す通りの数値が得られた。
【００３３】
【発明の効果】
以上のように本発明においては、屋外保護領域から他の屋外保護領域に向かって吹出手段が空気を吹出すことにより、屋外保護領域内に降り込む雨水を他の屋外領域へ飛散させることができることとなり、屋外保護領域の上方を常時開放状態としながら雨水等の降り込みを簡易に且つ迅速に防止することができるという効果を奏する。
また、本発明においては、屋外保護領域の上方近傍において上方から斜め下方に向かって吹出手段が気体を吹出すようにしているので、屋外保護領域に降り込む雨に対して落下方向に対して吹出手段が気体を吹出すようにしているので、屋外保護領域に降り込む雨に対して落下方向に対して吹出す気体が長く作用することから、他の屋外領域への雨水の飛散をより確実に行うことができるという効果を有する。
また、本発明においては、吹出手段から吹出す気体の方向及び／又は強度を風向きに応じて調整するようにしているので、屋外保護領域への雨水の降り込みをより確実に阻止できるという効果を有する。
また、本発明においては、降下物排出手段を吹出手段の吹出後段側に配設することにより、屋外保護領域への降下物の落下を防止できると共に、この降下物を排出処理することができるという効果を有する。
さらに、本発明においては、吸引手段を吹出手段の吹出後段側に配設することにより、吹出手段の吹出気流により飛散された降下物を屋外保護領域以外の領域へ強制的に吸引して屋外保護領域への降下を確実に防止できるという効果を有する。
【図面の簡単な説明】
【図１】本発明の第１の実施形態に係る雨水等の降下防止装置の全体概略説明図である。
【図２】図１に記載の雨水等の降下防止装置における吹出装置詳細構成図である。
【図３】本発明の第２の実施形態に係る雨水等の降下防止装置の全体ブロック図である。
【図４】図４は図３に記載の雨水等の降下防止装置における要部詳細図である。
【図５】本発明の第３の実施形態に係る雨水等の降下防止装置の全体概略構成図である。
【図６】本発明の第４の実施形態に係る雨水等の降下防止装置の要部構成図である。
【図７】本発明の第１及び第２の実施装置に用いられる吹出装置からの送風による雨滴の飛散能力の実験結果を示す表図である。
【符号の説明】
２  吹出装置
３  降雨センサ
４  制御部
６  降下物排出装置
１１  庇
１２  屋内保護領域
１３  屋外保護領域
１４  フィールド領域
２１  開口部
２２  ダクト
２３  送風ファン
２５  風向案内板
２６  モータ
６１  収集部
６３  排出管
１１０  建物
１１０ａ  軒下
１１１  建築物
１２０  軒下領域
１３０  歩道領域
１４０  車道領域
【図１】
0004345936.tif 000002
【図２】
0004345936.tif 000003
【図３】
0004345936.tif 000004
【図４】
0004345936.tif 000005
【図５】
0004345936.tif 000006
【図６】
0004345936.tif 000007
【図７】
0004345936.tif 000008